(57)【要約】【課題】情報処理装置がスタンバイモードにあるとき、ユーザの意図しないポインティングデバイスの動きにより、レジュームすることを軽減させるポインティングデバイス、及び、情報処理装置を提供する。【解決手段】情報処理部と、自身の移動量を検出するポインティングデバイス部と、情報処理部がスタンバイに入っているとき、移動量が所定の閾値より大きいか否かを判断する判断部とを有し、判断部による判断の結果、移動量が所定の閾値より大きい場合に、情報処理部はスタンバイからレジュームする。また、情報処理部がレジュームする際、所定の閾値を小さくする。【選択図】図２
2008210205.tif 000002
【特許請求の範囲】
【請求項１】
情報処理装置から前記情報処理装置がスタンバイに入ることを通知されると、自身の移動量が所定の閾値を超えた場合に、前記情報処理装置に自身が移動したことを通知することを特徴とするポインティングデバイス。
【請求項２】
前記情報処理装置に自身が移動したことを通知した後、前記所定の閾値を小さくすることを特徴とする請求項１記載のポインティングデバイス。
【請求項３】
情報処理装置と、
前記情報処理装置から前記情報処理装置がスタンバイに入ることを通知されると、自身の移動量が所定の閾値を超えた場合に、前記情報処理装置に自身が移動したことを通知するポインティングデバイスとを備えたことを特徴とする情報処理システム。
【請求項４】
情報処理部と、
自身の移動量を検出するポインティングデバイス部と、
前記情報処理部がスタンバイに入っているとき、前記移動量が所定の閾値より大きいか否かを判断する判断部とを有し、
前記判断部による判断の結果、前記移動量が前記所定の閾値より大きい場合に、前記情報処理部はスタンバイからレジュームすることを特徴とする情報処理システム。
【請求項５】
前記情報処理部がレジュームする際、前記所定の閾値を小さくすることを特徴とする請求項４記載の情報処理システム。
【請求項６】
スタンバイ中に、ポインティングデバイスから受信した当該ポインティングデバイスの移動量が所定の閾値より大きいか否かを判断する判断手段を有し、前記移動量が所定の閾値より大きい場合には、レジュームすることを特徴とする情報処理装置。
【請求項７】
レジュームを開始した後、前記所定の閾値を小さくすることを特徴とする請求項６記載の情報処理装置。
【請求項８】
ポインティングデバイスと、
スタンバイ中に、前記ポインティングデバイスから受信した当該ポインティングデバイスの移動量が所定の閾値より大きいか否かを判断する判断手段を有し、前記移動量が所定の閾値より大きい場合には、レジュームする情報処理装置とを備えたことを特徴とする情報処理システム。
【発明の詳細な説明】
【技術分野】
【０００１】
本発明は、ポインティングデバイスが出力する移動量の制御に関する。
【背景技術】
【０００２】
パーソナルコンピュータ等の情報処理装置では、情報処理装置の使用を一旦中断する際に、情報処理装置の作業状態を、高速の読み出しが可能な不揮発性のＲＡＭに保存することにより、スタンバイモードに入ることができる。このスタンバイモード（サスペンドモード）では、ＲＡＭ等、情報処理装置のレジューム（中断していた作業状態への復帰）に少なくとも必要な部分に通電されており、通常動作時（作業状態）と比べ省電力となっている。
【０００３】
ここで、情報処理装置の中には、情報処理装置がこのスタンバイモードにあるときに、例えばマウスなどのポインティングデバイスの動きを感知すると情報処理装置をレジュームする機能を備えているものがある。このような情報処理装置では、スタンバイモード時にポインティングデバイスからの信号を検出してレジュームする機能を実現する回路に通電されている。このポインティングデバイスからの信号とは、例えばマウスの場合には、マウスが移動した量を示す信号である。なお、例えば特許文献１に、マウスの移動に関連する発明が開示されている。
【０００４】
【特許文献１】特開平２−１７１８２１号公報
【発明の開示】
【発明が解決しようとする課題】
【０００５】
ところで、上述のとおり、情報処理装置では、マウス等のポインティングデバイスの移動を検知し、スタンバイモードからレジュームするものがあるが、ポインティングデバイスにおいて、ポインティングデバイスの移動量をセンスする精度が高いと、ユーザの不作為に情報処理装置がスタンバイモードからレジュームしてしまう場合がある。例えば、机上のパーソナルコンピュータがスタンバイモードにあるときに、床の振動が机に伝わり、情報処理装置に接続されたマウスがほんの僅かに動いたことを検出し、つまり、マウスが自身が移動したことを検知し、情報処理装置にこれを伝え、情報処理装置が、レジュームしてしまう場合がある。これではせっかくスタンバイモードにより省電力を図っていることに逆行してしまう。
【０００６】
なお、ポインティングデバイスにおいて、移動量のセンスの精度を低くすることも考えられるが、これでは、レジューム後の作業に悪影響を与えかえない。
【０００７】
そこで、本発明は、パーソナルコンピュータ等の情報処理装置がスタンバイモードにあるとき、ユーザの意図しないポインティングデバイスの動きにより、情報処理装置がレジュームすることを軽減させるポインティングデバイス、及び、このようなポインティングデバイスと接続され、または、このようなポインティングデバイスを搭載する情報処理装置を提供することを目的とする。
【課題を解決するための手段】
【０００８】
本発明のポインティングデバイスは、情報処理装置から前記情報処理装置がスタンバイに入ることを通知されると、自身の移動量が所定の閾値を超えた場合に、前記情報処理装置に自身が移動したことを通知することを特徴とする。
【０００９】
本発明の情報処理システムは、情報処理部と、自身の移動量を検出するポインティングデバイス部と、前記情報処理部がスタンバイに入っているとき、前記移動量が所定の閾値より大きいか否かを判断する判断部とを有し、前記判断部による判断の結果、前記移動量が所定の閾値より大きい場合に、前記情報処理部はスタンバイからレジュームすることを特徴とする。
【００１０】
本発明の情報処理装置は、スタンバイ中に、ポインティングデバイスから受信した当該ポインティングデバイスの移動量が所定の閾値より大きいか否かを判断する判断手段を有し、前記移動量が所定の閾値より大きい場合には、レジュームすることを特徴とする。
【発明の効果】
【００１１】
本発明によれば、パーソナルコンピュータ等の情報処理装置がスタンバイモードにあるとき、ユーザの意図しないポインティングデバイスの動きにより、情報処理装置がレジュームすることを軽減させるポインティングデバイス、及び、このようなポインティングデバイスと接続され、または、このようなポインティングデバイスを搭載する情報処理装置を提供することができる。本発明によれば、ユーザが意図せぬレジュームを軽減することができるため、情報処理装置の省電力に寄与することができる。
【発明を実施するための最良の形態】
【００１２】
以下、図面を参照して本発明を実施するための最良の形態について詳細に説明する。図１は、本発明の第１の実施の形態のポインティングデバイス及び情報処理装置を説明するためのブロック図である。
【００１３】
図１を参照すると、例えばパーソナルコンピュータである情報処理装置１０は、例えばマウス等のポインティングデバイス２０と有線または無線により接続されている。なお、ポインティングデバイス２０は情報処理装置１０に搭載されていてもよい。
【００１４】
情報処理装置１０は、情報処理装置１０の使用を一旦中断する際に、情報処理装置１０の作業状態を、図示せぬ高速の読み出しが可能な不揮発性のメモリ（ＲＡＭ）に格納することにより、スタンバイモードに入ることができる。このスタンバイモード（サスペンドモード）では、ＲＡＭ等、情報処理装置１０のレジューム（中断していた作業状態への復帰）に少なくとも必要な部分に通電されており、通常動作時（作業状態時）と比べ省電力となっている。また、情報処理装置１０は、情報処理装置１０がこのスタンバイモードにあるときに、例えばマウスなどのポインティングデバイス２０の動きを感知すると情報処理装置１０をレジュームする機能を備えている。情報処理装置１０では、スタンバイモード時にポインティングデバイス２０からの信号を検出してレジュームする機能を実現する回路、送受信部１１に通電されている。このポインティングデバイス２０からの信号とは、例えばマウスの場合には、マウスが移動したことや移動量を示す信号である。
【００１５】
ポインティングデバイス２０は、移動量検出部２１と移動量送信制御部２２とを有する。移動量検出部２１は、ポインティングデバイスの移動量を検出するものであり、ポインティングデバイスがマウスであれば、光学式やトラックボール式のもの等を使うことができる。移動量送信制御部２２については後述する動作の説明により明らかにする。
【００１６】
次に図２を参照し、本実施の形態の動作を説明する。図２は、本実施の形態の動作を説明するためのフローチャートである。
【００１７】
図２を参照すると、情報処理装置１０がスタンバイモードに入る際、情報処理装置１０の送受信部１１は、ポインティングデバイス２０に、情報処理装置１０がスタンバイモードに入ることを示すスタンバイ信号を出力する（ステップＳ１）。ポインティングデバイス２０の移動量送信制御部２２は、このスタンバイ信号を受信することにより、情報処理装置１０がスタンバイモードに入ったことを知る（ステップＳ２）。
【００１８】
次に、ポインティングデバイス２０の移動量送信制御部２２は、移動量検出部２１から通知されるポインティングデバイス２０の移動量が、スタンバイからの復帰の条件判定のために設定された所定の閾値よりも大きいか否かを判断する（ステップＳ３）。ステップＳ３にて通知された移動量が所定の閾値よりも小さい場合には、移動量送信制御部２２は、通知された移動量をクリアし（ステップＳ４）、ステップＳ３の判断に戻る。
【００１９】
一方、ステップＳ３の判断にて、移動量検出部２１から通知された移動量が所定の閾値よりも大きい場合には、移動量送信制御部２２は、ポインティングデバイス２０が動いたことを情報処理装置１０の送受信部１１に通知し（ステップＳ５）、この通知を受け、情報処理装置１０はスタンバイモードからレジュームする（ステップＳ６）。
【００２０】
ポインティングデバイス２０の移動量送信制御部２２は、ステップＳ５に引続き、自身で、もしくは、送受信部１１からの指示を受け、前述の閾値を小さくする（０でもよい）。この際、送受信部１１からの指示はレジューム中であってもレジューム後であってもよい（ステップＳ７）。
【００２１】
このように本実施の形態では、情報処理装置１０がスタンバイモードにあるとき、ポインティングデバイス２０から送信されるポインティングデバイス２０が動いたことを示す信号をポインティングデバイスにて制御することにより、ユーザの意図しないポインティングデバイス２０の動きによって、情報処理装置１０がレジュームすることを軽減させることができる。
【００２２】
次に本発明の第２の実施の形態について説明する。図３は、本発明の第２の実施の形態のポインティングデバイス及び情報処理装置を説明するためのブロック図である。
【００２３】
図３を参照すると、情報処理装置３０は、上述した第１の実施の形態の情報処理装置１０とは異なり、送受信部１１に代えてレジューム判定部３１を備えている。レジューム判定部３２は、情報処理装置３０がスタンバイモードにあるときでも通電されており、ポインティングデバイス４０からの入力を待ってレジュームするか否かを判断する。
【００２４】
ポインティングデバイス４０は移動量検出部４１と送信部４２とを有する。移動量検出部４１は、上述した第１の実施の形態の移動量検出部２１と同等である。送信部４２は、移動量検出部４１が検出したポインティングデバイス４０が移動したこと情報処理装置３０のレジューム判定部３１に伝える。
【００２５】
次に、図４を参照して本実施の形態の動作を説明する。図４は、本実施の形態の動作を説明するためのフローチャートである。
【００２６】
図４を参照すると、情報処理装置３０がスタンバイモードに入ると（ステップＴ１）、レジューム判定部３１は、ポインティングデバイス４０の送信部４２からポインティングデバイス４０が移動したことを示す入力を待ち、送信部４２からポインティングデバイス４０が移動したことを示す信号を受信すると（ステップＴ２）、送信部４２から受信したポインティングデバイス４０の移動量が所定の閾値より大きいか否かを判断する（ステップＴ３）。
【００２７】
ステップＴ３の判断にて、ポインティングデバイス４０の移動量が所定の閾値より小さい場合には、レジューム判定部３１は、受信した移動量をクリアし、ステップＴ２に戻る（ステップＴ４）。一方、ステップＴ３の判断にて、ポインティングデバイス４０の移動量が所定の閾値より大きい場合には、レジューム判定部３１は、情報処理装置３０のレジュームを開始する（ステップＴ５）。この際、レジューム判定部３１は、この閾値を小さくする（０でもよい）。
【００２８】
このように本実施の形態では、情報処理装置３０がスタンバイモードにあるとき、ポインティングデバイス４０から送信されるポインティングデバイス４０の移動量に閾値を設け、情報処理装置３０側で、レジュームするか否かを判断しているので、ユーザの意図しないポインティングデバイス４０の動きによって、情報処理装置３０がレジュームすることを軽減させることができる。
【図面の簡単な説明】
【００２９】
【図１】第１の実施の形態のポインティングデバイス及び情報処理装置を説明するためのブロック図である。
【図２】第１の実施の形態の動作を説明するためのフローチャートである。
【図３】第２の実施の形態のポインティングデバイス及び情報処理装置を説明するためのブロック図である。
【図４】第２の実施の形態の動作を説明するためのフローチャートである。
【符号の説明】
【００３０】
１０  情報処理装置
１１  送受信部
２０  ポインティングデバイス
２１  移動量検出部
２２  移動量送信制御部
３０  情報処理装置
３１  レジューム判定部
４０  ポインティングデバイス
４１  移動量検出部
４２  送信部
【図１】
2008210205.tif 000003
【図２】
2008210205.tif 000004
【図３】
2008210205.tif 000005
【図４】
2008210205.tif 000006